(57)【特許請求の範囲】
【請求項１】
収納した食品に付けられた前記食品の情報を記憶した非接触タグを読み取るタグ読み取り手段と、前記食品が収納された位置を検出する位置検出手段と、前記食品の重量を検出する重量検出手段と、を具備し、前記重量検出手段は、内部に設けられた収納部の底面に配置された重量検出センサであり、新たな食物が収納された場合に、前記新たな食物が収納される前に前記重量検出センサが検出した重量と、前記新たな食物が収納された後に前記重量検出センサが検出した重量と、を比較した差分を前記新たな食物の重量とすることを特徴とする食物貯蔵庫。
【請求項２】
前記非接触タグに情報を記憶する情報入力手段を具備し、新たな食物が収納された場合に、ユーザが入力した情報を前記非接触タグに記憶することを特徴とする請求項１に記載の食物貯蔵庫。
【請求項３】
前記収納した食品の一覧を表示する表示部を具備し、前記表示部に前記収納した食品の一覧を表示する際に、賞味期限が近いもしくは賞味期限が切れた前記食品の情報を他の食品とは異なる形態で表示することを特徴とする請求項１または請求項２に記載の食物貯蔵庫。
【請求項４】
前記収納した食品の一覧を表示する表示部を具備し、前記収納した食品の一覧を表示する際に、前記食品の種類、賞味期限の残日数、入力日のいずれかにより、前記食品の一覧を並べ替えて表示することを特徴とする請求項１または請求項２に記載の食物貯蔵庫。
【請求項５】
前記収納した食品の一覧を表示する表示部を具備し、前記表示部に前記収納した食品の一覧を表示する際に、前記収納した食品の表示位置を、前記収納した食品の収納位置に対応させて表示すること特徴とする請求項１または請求項２に記載の食物貯蔵庫。
【請求項６】
前記収納した食品の一覧を表示する表示部を具備し、前記収納した食品の一覧を表示する際に、前記食品のサイズに応じて前記収納した食品の表示サイズを変えて表示することを特徴とする請求項１または請求項２に記載の食物貯蔵庫。
【請求項７】
通信網を介して端末と通信する通信手段を具備し、前記収納した食品の一覧を前記端末に送信することを特徴とする請求項１から請求項６のいずれかに記載の食物貯蔵庫。
【請求項８】
携帯通信網を介して携帯端末と通信する通信手段を具備し、前記収納した食品の一覧を前記携帯端末に送信することを特徴とする請求項１から請求項６のいずれかに記載の食物貯蔵庫。
【発明の詳細な説明】
【０００１】
【発明の属する技術分野】
本発明は、貯蔵する食品の在庫管理を行うことのできる食物貯蔵庫に関するものである。
【０００２】
【従来の技術】
従来より、冷蔵庫に保存する食品の在庫管理が行われている。例えば、保存する食品の容器やパッケージに食品名や賞味期限などの食品に関する情報を記録した非接触タグを付けてから食品を冷蔵庫に収納し、冷蔵庫がその非接触タグに記憶された情報を読み取るというものが考案されている。これによれば、ユーザが食品の容器やパッケージから保存してある食品に関する情報を読み取らなくても、冷蔵庫が自動的に食品に関する情報を認識し管理することができる。
【０００３】
【発明が解決しようとする課題】
しかしながら、非接触タグには、食品名や賞味期限などの食品の種類によって決まる食品固有の情報しか記憶されておらず、ユーザの使用状況に応じて変化する情報、例えば、食品の重量や数量に関する情報は記憶されていない。このため、従来の方法では、冷蔵庫は食品の残量を把握できず、食品の残量に関する管理はできない。ユーザが食品を少し使ってまた冷蔵庫に戻すということは頻繁に行われることであるので、食品の残量を管理するということは、食品の管理上非常に重要な要素である。
【０００４】
また、従来の方法では、非接触タグから収納した食品の情報を得ることはできるが、冷蔵庫のどこにどの食品が入っているかという情報を得ることはできない。このため、ユーザが例えば賞味期限切れの食品を探す際に、短時間で見つけられず、冷蔵庫の扉を空けておく時間が長くなり、余計な電力消費をしてしまうという問題がある。
【０００５】
この問題の解決方法として、予め食品毎に収納する場所を決めておき、その場所に接触センサを設置し、必ずその場所に所定の食品を置くという管理の方法も考えられるが、食品の置き場所を決めてしまうことはユーザが食品毎に収納場所を確認する必要があり、やはり、冷蔵庫の扉を空けておく時間が長くなってしまう。
【０００６】
本発明はかかる点に鑑みてなされたものであり、収納した食品固有の情報に加え、収納した食品の収納位置および重量を管理することができる食物貯蔵庫を提供することを目的とする。
【０００７】
【課題を解決するための手段】
本発明の食物貯蔵庫は、収納した食品に付けられた食品の情報を記憶した非接触タグを読み取るタグ読み取り手段と、収納した食品の位置を検出する位置検出手段と、収納した食品の重量を検出する重量検出手段と、を設けたものである。
【０００８】
これにより、収納した食品の情報に加え、収納した食品の収納位置と収納した食品の残量を認識することができ、管理することができる。
【０００９】
【発明の実施の形態】
本発明の第１の態様にかかる食物貯蔵庫は、収納した食品に付けられた前記食品の情報を記憶した非接触タグを読み取るタグ読み取り手段と、前記食品が収納された位置を検出する位置検出手段と、前記食品の重量を検出する重量検出手段と、を具備し、前記重量検出手段は、内部に設けられた収納部の底面に配置された重量検出センサであり、新たな食物が収納された場合に、前記新たな食物が収納される前に前記重量検出センサが検出した重量と、前記新たな食物が収納された後に前記重量検出センサが検出した重量と、を比較した差分を前記新たな食物の重量とする構成を採る。
【００１０】
この構成により、収納する食品の情報を記憶した非接触タグから得られ、位置検出手段および重量検出手段から、収納した食品の収納位置と収納した食品の残量を認識することができ、管理することができるだけでなく、新たな食物が収納される前に重量検出センサが検出した重量と、新たな食物が収納された後に重量検出センサが検出した重量と、を比較した差分を新たな食物の重量とすることで、収納された全食物の重量を測る重量検出センサという単純な構造により、追加された食物の重量を検出できる。
【００１７】
本発明の第２の態様は、第１の態様の食物貯蔵庫において、前記非接触タグに情報を記憶する情報入力手段を具備し、新たな食物が収納された場合に、ユーザが入力した情報を前記非接触タグに記憶する。
【００１８】
これにより、ユーザが製作した食物の非接触タグに、ユーザが定義した食物情報が記憶できる。この結果、非接触タグの適用範囲が、メーカが製造した食品で限られず、汎用性が増す。
【００１９】
本発明の第３の態様は、第１の態様または第２の態様の食物貯蔵庫において、前記収納した食品の一覧を表示する表示部を具備し、前記表示部に前記収納した食品の一覧を表示する際に、賞味期限が近いもしくは賞味期限が切れた前記食品の情報を他の食品とは異なる形態で表示する。
【００２０】
これにより、ユーザが収納された食品の一覧を表示部から認識できるだけでなく、ユーザは食品と賞味期限との関係を視覚的に認識することができる。
【００２１】
本発明の第４の態様は、第１の態様または第２の態様の食物貯蔵庫において、前記収納した食品の一覧を表示する表示部を具備し、前記収納した食品の一覧を表示する際に、前記食品の種類、賞味期限の残日数、入力日のいずれかにより、前記食品の一覧を並べ替えて表示する。
【００２２】
これにより、ユーザは好みの条件により並べ替えた情報を見ることができる。
【００２３】
本発明の第５の態様は、第１の態様または第２の態様の食物貯蔵庫において、前記収納した食品の一覧を表示する表示部を具備し、前記表示部に前記収納した食品の一覧を表示する際に、前記収納した食品の表示位置を、前記収納した食品の収納位置に対応させて表示する。
【００２４】
これにより、ユーザは食品とその収納位置との関係を視覚的に認識することができる。
【００２５】
本発明の第６の態様は、第１の態様または第２の態様の食物貯蔵庫において、前記収納した食品の一覧を表示する表示部を具備し、前記収納した食品の一覧を表示する際に、前記食品のサイズに応じて前記収納した食品の表示サイズを変えて表示する。
【００２６】
これにより、収納された食品の大きさを視覚的にイメージすることができる。
【００２７】
本発明の第７の態様は、第１の態様から第６の態様のいずれかの食物貯蔵庫において、通信網を介して端末と通信する通信手段を具備し、前記収納した食品の一覧を前記端末に送信する。
【００２８】
これにより、ユーザは食物貯蔵庫内の情報を外部の端末から認識できると共に、端末から食物貯蔵庫に対する処理を行うことができる。
【００２９】
本発明の第８の態様は、第１の態様から第６の態様のいずれかの食物貯蔵庫において、携帯通信網を介して携帯端末と通信する通信手段を具備し、前記収納した食品の一覧を前記携帯端末に送信する。
【００３０】
これにより、ユーザは食物貯蔵庫内の情報を外部の携帯端末から認識できると共に、携帯端末から食物貯蔵庫に対する処理を行うことができる。
【００３１】
以下、本発明の一実施の形態にかかる食物貯蔵庫を用いた在庫管理システムについて説明する。本実施の形態では、食物貯蔵庫として冷蔵庫を用いて説明するが、本食物貯蔵庫として冷蔵庫以外のもの、例えばワインサーバーなどを適用しても良い。
【００３２】
まず、上記実施の形態にかかる冷蔵庫の構成について図１を用いて説明する。図１は、上記実施の形態にかかる冷蔵庫の外観を示す図である。なお、以下の説明では、冷蔵庫本来の機能である冷蔵装置についての説明は省略する。
【００３３】
本冷蔵庫１００の側面前方には、冷蔵庫に収納された食物の一覧などの情報を可視表示する表示部１０１が設けられている。表示部１０１は、液晶パネルなどの表示手段である。また、冷蔵庫１００の側面であって、表示部１０１の下方近傍には、ユーザが各種情報を入力する操作盤１０２が設けられている。操作盤１０２には、複数の入力ボタンが設けられており、ユーザはボタンを操作することで所望の情報を入力することができる。また、操作盤１０２から入力された情報に対応した情報が、表示部１０１に表示されるようになっている。
【００３４】
次に、冷蔵庫１００の内部の構造について図２を用いて説明する。図２は、上記実施の形態にかかる冷蔵庫の内部の構造を示す図である。
【００３５】
冷蔵庫１００の内部には棚２０１が設置できるようになっている。棚２０１により、冷蔵庫１００は、棚２０１と冷蔵庫１００の底板２０２を底面とした二つの収納部２０３ａ、２０３ｂを持つようになっている。なお、図２では、説明の便宜状、棚２０１を一枚として図示してあるが、複数個設けても良い。
【００３６】
また、冷蔵庫１００の収納部２０３ａ、２０３ｂの底面である、棚２０１および底板２０２の上面には、収納された食物２０４の収納位置検出手段である感圧検出センサ２０５ａ、２０５ｂが設けられている。感圧検出センサ２０５ａ、２０５ｂは、棚２０１および底板２０２の上面に格子状に複数個配置されている。また、感圧検出センサ２０５ａ、２０５ｂは、食品２０４が収納されたことにより発生する圧力を検知するだけでなく、食品２０４が接触したことも検知する。
【００３７】
このように感圧検出センサ２０５ａ、２０５ｂが格子状に配置されているので、いずれかの感圧検出センサ２０５ａ、２０５ｂが反応しているか判断することによって、食物２０４の位置を検出することができる。また、感圧検出センサ２０５ａ、２０５ｂは、接触センサとしての機能も持つので、感圧検出センサ２０５ａ、２０５ｂの接触判定結果より、棚２０１もしくは底板２０２に直接食品２０４が乗っているか否かの判断もできる。
【００３８】
また、冷蔵庫１００は、食物２０４に接触した部分の感圧検出センサ２０５ａ、２０５ｂを検出することで、食物２０４の大きさを判断することもできる。なお、上記実施の形態では、位置検出手段として複数の感圧検出センサを用いて説明したが、食物２０４の収納位置を検出する手段であればいかなる手段でも良い。
【００３９】
また、冷蔵庫１００の収納部２０３ａ、２０３ｂの底面である、棚２０１および底板２０２の上面には、収納された食物２０４の重量を検出する重量検出センサ２０６ａ、２０６ｂが設けられている。これにより、冷蔵庫１００は、食物２０４の重さを認識することができる。
【００４０】
また、本実施の形態では、食物２０４に、例えば世界標準であるＩＳＯ１５６９３規格対応の非接触タグであるＲＦ−ＩＤ（Ｒａｄｉｏ  ＦｒｅｑｕｅｎｃｙＩｄｅｎｔｉｆｉｃａｔｉｏｎ）タグ（以下、単にタグという）２０７を付ける。タグ２０７には、食物２０４に関する情報が記憶できるようになっている。タグ２０７に記憶される情報については後で詳述する。
【００４１】
一方、冷蔵庫１００の収納部２０３ａ、２０３ｂの内部側面には、収納された食物２０４のタグ２０７に記憶された情報の読み取りと、タグ２０７に情報の書き込みを行うタグ入力部２０８ａ、２０８ｂが設けられている。これにより、冷蔵庫１００は、タグ２０７から食物２０４の情報を認識できるだけでなく、タグ２０７に食物２０４の新たな情報を書きこむことができる。なお、上記実施の形態では、食物の情報を記憶する手段として、ＲＦ−ＩＤタグ２０７を用いたが無線を用いて情報の通信を行う非接触タグであればこれ以外の手段を用いても良い。
【００４２】
次に、冷蔵庫１００が在庫管理を行うためのハード構成について、図３を用いて説明する。図３は、上記実施の形態にかかる冷蔵庫およびタグのハード構成図である。なお、既に説明した部分には同一の符番を付与してある。
【００４３】
冷蔵庫１００には、各処理部の制御を行う制御部３００が設けられている。なお、制御部３００は、在庫管理処理も行うが、在庫管理処理の説明は後述する。
【００４４】
また、冷蔵庫１００には、既に説明した表示部１０１、操作盤１０２、感圧検出センサ２０５、重量検出センサ２０６、およびタグ入力部２０８が設けられている。
【００４５】
タグ入力部２０８には、アンテナ３０１を介してタグ２０４と無線通信を行う無線部３０２が設けられている。また、タグ入力部２０８には、無線部３０２を介して送られてきた情報を制御部３００に送る、もしくは制御部３００から送られてきた情報を無線部３０２に送るタグ情報送受信部３０３が設けられている。
【００４６】
一方、食品２０４のタグ２０７にも、アンテナ３０４を介して冷蔵庫１００のタグ入力部２０８と無線通信を行う無線部３０５が設けられている。また、タグ２０７には、無線部３０５を介して送られてきた情報をメモリ３０７に送る、もしくはメモリ３０７の情報を無線部３０５に送るタグ情報送受信部３０６が設けられている。
【００４７】
このようにタグ入力部２０８とタグ２０７を構成することにより、冷蔵庫１００の制御部３００がタグ２０７のメモリ３０７から食品２０４の情報を得ることができる。また、冷蔵庫１００の制御部３００がタグ２０７のメモリ３０７に食品２０４の情報を書きこむことができる。
【００４８】
また、冷蔵庫１００には、重量検出センサ２０６が検出した重量情報を記憶する重量記憶部３１７が設けられている。重量記憶部３１７は、重量検出センサ２０６が検出した、現在収納されている食品２０４の総重量が記憶されている。また、重量記憶部３１７の情報は食品２０４が収納されるたびに更新される。
【００４９】
これにより、制御部３００は、冷蔵庫１００に新たに食品２０４が収納された場合に、現在重量検出センサ２０６が検出した重量と、重量記憶部３１７に記憶されている新たに食品２０４が収納される前の重量情報とを比較することで、新たに収納された食品の重量を検出できる。
【００５０】
また、冷蔵庫１００には、メーカが製造した食品２０４の情報が記憶されたメーカ製品データベース３０９と、ユーザが製造した食品の情報が記憶された一般食品データベース３１０と、を格納したデータベース保持部３０８が設けられている。なお、メーカ製品データベース３０９および一般食品データベース３１０の構成については後で詳述する。
【００５１】
また、冷蔵庫１００には、収納した食品２０４の在庫情報を記憶する在庫情報記憶部３１１が設けられている。なお、在庫情報記憶部３１１の構成については後で詳述する。
【００５２】
また、冷蔵庫１００には、現在の日付を計測するタイマ部３１２が設けられている。タイマ部３１２は、在庫情報記憶部３１１の食物情報の賞味期限がｎ日以内に迫っているかということを認識するために使用される。
【００５３】
また、冷蔵庫１００には、在庫情報記憶部３１１の情報を外部ネットワーク３１４、携帯端末との無線等によって通信を行う基地局３１５を介して携帯端末３１６に送信、もしくは携帯端末３１６から送られてきた情報を外部ネットワーク３１４、基地局３１５を介して受信する通信部３１３が設けられている。これにより、ユーザは冷蔵庫１００の情報を外部の携帯端末３１６から認識できると共に、携帯端末３１６から冷蔵庫１００に対する処理を行うことができる。
【００５４】
なお、冷蔵庫１００が通信を行う端末として携帯端末でなく、外部に設けられたＰＣなどの端末でも良い。
【００５５】
次に、タグ２０７に記憶される食品２０４の情報について、図４（ａ）を用いて説明する。図４（ａ）は、上記実施の形態にかかるタグ内の食品情報の構成図である。
【００５６】
タグ２０７には、タグ２０７の識別番号であるタグＩＤ４０１が記憶されている。また、タグ２０７には、タグ２０７毎に、食品２０４の情報として、メーカＩＤ４０２と、製品ＩＤ４０３と、食品ＩＤ４０４と、消費期限４０５と、賞味期限４０６と、保存条件４０７と、が記憶できるようになっている。
【００５７】
メーカＩＤ４０２は、食品２０４を販売するメーカの識別番号である。メーカＩＤ４０２とメーカとの対応はデータベース保持部３０８のメーカ製品データベース３０９に記憶されている。
【００５８】
製品ＩＤ４０３は、食品２０４が、メーカＩＤ４０２が示すメーカのどの製品に相当するかを示す識別番号である。製品ＩＤ４０３と製品との対応はデータベース保持部３０８のメーカ製品データベース３０９に記憶されている。
【００５９】
また、食品ＩＤ４０４は、メーカが販売する食品でなく、ユーザが調理した食品などを収納する容器やパッケージに付けるタグ２０７に記憶される、ユーザ定義の識別子である。食品ＩＤ４０４が実際どのような食品であるかは、一般食品データベース３１０に記憶されている。一般食品データベース３１０の情報は、ユーザがタグ入力部２０８を用いてタグ２０７に食品ＩＤを記憶する際に、記憶される。
【００６０】
また、メーカＩＤ４０２および製品ＩＤ４０３は、メーカの製品に対して付与されるものであるので、ユーザの製作した食品に対しては付与されない。図４（ｂ）は、メーカの製品に対して付与されたタグ２０７に記憶された情報を示すものである。この図からわかるように、メーカの製品の場合は、食品ＩＤ４０４は「０」になっている。
【００６１】
逆に、食品ＩＤ４０４は、ユーザの製作した食品に対して付与されるものであるので、メーカの製品に対しては付与されない。図４（ｃ）は、ユーザが製作した食品に対して付与されたタグ２０７に記憶された情報を示すものである。この図からわかるように、ユーザが製作した食品の場合は、メーカＩＤ４０２および製品ＩＤ４０３は「０」になっている。
【００６２】
次に、データベース保持部３０８内の、メーカ製品データベース３０９の構成について図５を用いて説明する。図５は、上記実施の形態にかかるメーカ製品データベースの構成を示す図である。
【００６３】
メーカ製品データベース３０９には、メーカＩＤ４０２毎に複数の製品データベース５００が格納されている。製品データベース５００には、メーカＩＤ４０２と、メーカＩＤ４０２の対応するメーカの名前情報５０１が記憶されている。また、製品データベース５００には、メーカＩＤ４０２が示すメーカの製品に対する製品ＩＤ４０３と、製品ＩＤ４０３の示す製品の名称５０２と、製品ＩＤ４０３の示す製品の栄養素情報５０３と、の組が複数記憶されている。
【００６４】
このようにメーカ製品データベース３０９を構成することで、冷蔵庫１００の制御部３００は、タグ２０７に記憶されたメーカＩＤ４０２、製品ＩＤ４０３の実体を知ることができる。
【００６５】
次に、データベース保持部３０８内の、一般食品データベース３１０の構成について図６を用いて説明する。図６は、上記実施の形態にかかる一般食品データベースの構成を示す図である。
【００６６】
一般食品データベース３１０には、食品ＩＤ４０４と、食品ＩＤ４０４が示す食品名称６０１と、食品ＩＤ４０４の示す製品の栄養素情報６０２と、食品ＩＤ４０４の示す製品の賞味期限６０３と、の組が複数記憶されている。
【００６７】
このように一般食品データベース３１０を構成することで、冷蔵庫１００の制御部３００は、タグ２０７に記憶された食品ＩＤ４０４の実体を知ることができる。
【００６８】
次に、在庫情報記憶部３１１の構成について図７を用いて説明する。図７は、上記実施の形態にかかる在庫情報記憶部の構成を示す図である。
【００６９】
在庫情報記憶部３１１には、タグＩＤ４０１と、タグＩＤ４０１に対応する食品が収納された位置情報７０１と、タグＩＤ４０１に対応する食品のサイズ情報７０２と、タグＩＤ４０１に対応する食品に関する情報７０３と、タグＩＤ４０１に対応する食品に対してユーザが追加した情報７０４と、タグＩＤ４０１に対応する食品の重量情報７０５と、の組が複数記憶されている。
【００７０】
位置情報７０１は、食品が収納された棚番号７０６と、棚におけるｘ方向の位置情報７０７と、棚におけるｙ方向の位置情報７０８と、下にある食品のタグＩＤ情報７０９から構成される。位置情報７０１は、制御部３００が、食品２０４が収納された際に反応した感圧検出センサ２０５の位置を検出することで、認識される情報である。
【００７１】
また、下にある食品のタグＩＤ情報７０９は、ある食品２０４が他の食品２０４上に重ねられて収納されたことを示す情報であり、下に位置する食品２０４のタグＩＤ４０１が記述される。図７の例では、タグＩＤ４０１が「４」の食品の下にタグＩＤ４０１が「３」の食品があることを示す。ある食品２０４が他の食品２０４上に重ねられているということは、感圧検出センサ２０５が圧力を検出したが、接触は検知していないということから認識できる。
【００７２】
サイズ情報７０２は、制御部３００が、食品２０４が収納された際に反応した複数の感圧検出センサ２０５の位置から検出される情報である。
【００７３】
食品情報７０３は、タグ２０７に記述された食品の情報であり、具体的には、図４に示す情報から構成される。
【００７４】
ユーザ追加情報７０４は、ユーザが任意に追加した情報であり、食品ＩＤ４０４などの情報が記憶される。
【００７５】
重量情報７０５は、タグＩＤ４０１に対応する食品２０４の重量情報である。重量情報７０５は、制御部３００が、冷蔵庫１００にタグＩＤ４０１に対応する食品２０４が収納された場合に、重量検出センサ２０６が検出した重量と、重量記憶部３１７に既に記憶されている重量情報とを比較することで、タグＩＤ４０１に対応する食品２０４の重量を検出する。
【００７６】
次に、以上のように構成された冷蔵庫１００の在庫管理処理について図８を用いて説明する。図８は、上記実施の形態にかかる在庫管理処理のフロー図である。
【００７７】
まず、冷蔵庫１００の制御部３００が、感圧検出センサ２０５から圧力を検出したことを示す情報を得ることで、食品２０４が冷蔵庫１００の内部に収納されたことを検出する（ＳＴ８０１）。
【００７８】
次に、制御部３００は、食品２０４が収納された際に反応した感圧検出センサ２０６を検出し、その感圧検出センサ２０６の位置から収納された食品２０４の位置およびサイズを推定する（ＳＴ８０２）。
【００７９】
次に、制御部３００は、重量検出センサ２０６が検出した冷蔵庫１００内の食品２０４の総重量から、重量記憶部３１７に保存してある、過去の食品２０４の全重量を引くことで、今回追加された重量を算出する（ＳＴ８０３）。そして、追加重量が０以上であるか判断し（ＳＴ８０４）、追加重量が０以上である場合は追加された食品２０４の重量が正常に算出されたと判断する。
【００８０】
次に、制御部３００は、タグ入力部２０８を用いて、内部に収納された全食品２０４のタグ２０７に記憶された情報を読み取り（ＳＴ８０５）、在庫情報記憶部３１１に記憶された在庫情報と、今回読み取った全食品２０４のタグ２０７の情報とを比較する（ＳＴ８０６）。この段階では、制御部３００は、タグＩＤ４０１のみを比較する。
【００８１】
そして、制御部３００は、在庫情報記憶部３１１に記憶された在庫情報と、今回読み取った全食品２０４のタグ２０７の情報とに差異がある場合は、新しく食品２０４が追加されたと判断する（ＳＴ８０７）。
【００８２】
次に、制御部３００は、追加された食品２０４のタグ２０７の情報を、データベース保持部３０８を参照することで解析し、解析した情報を在庫情報記憶部３１１に保存する（ＳＴ８０８）。
【００８３】
ＳＴ８０８において、制御部３００は、追加された食品２０４のタグ２０７に記憶されたメーカＩＤ４０２および製品ＩＤ４０３が「０」でない場合は、メーカ製品データベース３０９から食品２０４に関する情報を得る。
【００８４】
また、ＳＴ８０８において、追加された食品２０４のタグ２０７に記憶されたメーカＩＤ４０２および製品ＩＤ４０３が「０」である場合は、一般食品データベース３１０を参照し食品ＩＤ４０４に対応する情報から食品の情報を得る。
【００８５】
また、ＳＴ８０８において、追加された食品２０４のタグ２０７に記憶されたメーカＩＤ４０２および製品ＩＤ４０３が「０」であり、さらに食品ＩＤ４０４も「０」である場合は、今回収納された食品２０４に関する情報がタグ２０７に記憶されていないということを表示部１０１に表示する。そして、これを認識したユーザが操作盤１０２を操作することにより、今回収納された食品２０４に関する情報を入力する。そして、ユーザにより入力された情報をタグ入力部２０８がタグ２０７に記憶すると共に、制御部３００が一般食品データベース３１０にこの情報をタグＩＤ４０１と対応付けて記憶する。
【００８６】
次に、制御部３００は、ＳＴ８０２で検出した位置情報およびＳＴ８０３で検出した重量情報を在庫情報記憶部３１１に、タグＩＤ４０１と対応付けて記憶する（ＳＴ８０９）。
【００８７】
次に、制御部３００は、今回収納した食品２０４が他の食品２０４の上に重なっているか判断するために、在庫情報記憶部３１１を参照し、今回収納した食品２０４の位置と、同じ位置に他の食品２０４があるか検出する（ＳＴ８１０）。そして、今回収納した食品２０４の位置と、同じ位置に他の食品２０４があると判断した場合は（ＳＴ８１１）、追加された食品２０４は、すでに同じ位置にある他の食品２０４の上に存在するとして、保存する（ＳＴ８１２）。この際、制御部３００は、既に同じ位置に存在する食品２０４の情報を、今回収納した食品２０４のタグＩＤ４０１に対応付けて保存するようにする。
【００８８】
以上のようにして、冷蔵庫１００は、新たに収納した食品２０４の食品本来の情報を得ることができるだけでなく、食品２０４の収納位置や食品２０４の重量情報というユーザの使用により変化する情報も認識でき、管理できる。
【００８９】
また、冷蔵庫１００は、表示部１０１に在庫情報の一覧を表示するようになっている。これにより、ユーザが冷蔵庫１００の扉を空けなくても内部に収納された食品の情報を認識することができる。この結果、消費電力を削減できる。
【００９０】
以下、冷蔵庫１００が表示部１０１に在庫情報の一覧を表示する処理について図９を用いて説明する。図９は、上記実施の形態にかかる在庫情報表示処理のフロー図である。
【００９１】
操作盤１０２から在庫情報の表示指示があった場合（ＳＴ９０１）、制御部３００は、在庫情報記憶部３１１を参照し、在庫情報を抽出する（ＳＴ９０２）。次に、制御部３００は、操作盤１０２から指示された表示形式がイメージ形式か、テキスト形式か判断する（ＳＴ９０３）。
【００９２】
ＳＴ９０３において、表示形式がイメージ形式であると判断した場合は、図１０に示すイメージ画像を作成し（ＳＴ９０４）、表示部１０１に表示する（ＳＴ９０５）。図１０は、上記実施の形態にかかる表示部に表示されるイメージ画像を示す図である。
【００９３】
イメージ画像１０００は、冷蔵庫１００の内部を模式化した図に、制御部３００が在庫情報記憶部３１１から抽出した在庫の食品名を、食品の位置情報７０１に対応した位置に、サイズ情報７０２を反映させた大きさで記述したものになっている。具体的には、イメージ画像１０００には、図２に示す収納部２０３ａに対応する部分１００１ａと、収納部２０３ｂに対応する部分１００１ｂと、が記述されている。そして、収納部２０３ａ、２０３ｂに収納された食品名が、それぞれ部分１００１ａ、１００１ｂに食品２０４のサイズに応じた大きさで記述されている。
【００９４】
これにより、収納された食品２０４の大きさを視覚的にイメージすることができる。例えば、図１０の例からは、上段の収納部２０３ａには、左端に豆腐、豆腐の隣にヨーグルト、そして少し間隔を空けて右端にケーキが収納されていて、ヨーグルトは豆腐、ケーキよりも大きいことがわかる。また、下段の収納部２０３ｂには、左端に牛肉、牛肉の隣にキャベツ、そしてキャベツの隣にバターが収納されていて、キャベツは牛肉、バターよりも大きく、さらに、左側には牛肉が重ねられて収納されていることがわかる。
【００９５】
これにより、ユーザは食品名とその収納位置との関係を視覚的に認識することができる。
【００９６】
また、イメージ画像１０００には、賞味期限に応じて食品名の表示の形態を変えている。具体的には、牛肉１００２は、賞味期限が近く（例えば３日前に）なったので黄色で商品名を表示し、牛肉１００３は、賞味期限を超えたので赤色で商品名を表示するようにしている。
【００９７】
これにより、ユーザは食品と賞味期限との関係を視覚的に認識することができる。
【００９８】
一方、ＳＴ９０３において、表示形式がテキスト形式であると判断した場合は、図１１に示すテキスト画像を作成し（ＳＴ９０６）、表示部１０１に表示する（ＳＴ９０５）。図１１は、上記実施の形態にかかる表示部に表示されるテキスト画像を示す図である。
【００９９】
テキスト画像１１００は、収納された食品の種類、数量、賞味期限、入力日、および場所の情報から構成されている。これにより、ユーザは収納されている食品一覧を容易に認識できる。また、テキスト画像１１００は、食品の賞味期限に応じて表示するテキストの文字の色を変えるようにしている。これにより、ユーザは食品と賞味期限との関係を視覚的に認識することができる。
【０１００】
また、操作盤１０２から食品種類、数量、賞味期限、入力日、収納場所のいずれかにより、食品の一覧を並べ替えて表示できるようになっている。
【０１０１】
これにより、ユーザは好みの条件により並べ替えた情報をみることができる。
【０１０２】
以上説明したように上記実施の形態によれば、収納する食品に食品の情報を記憶したタグ２０７を付けると共に、位置検出手段である感圧検出センサ２０５および、重量検出手段である重量検出センサ２０６を設けることにより、収納した食品の情報に加え、収納した食品の収納位置と収納した食品の残量を認識することができ、管理することができる。
【０１０３】
また、上記実施の形態は、位置検出手段として、感圧検出センサ２０５を収納部２０５ａ、２０５ｂの底面に格子状に配置する形態を採ることにより、簡単な構成でかつ安価に位置検出手段を構成できる。
【０１０４】
また、上記実施の形態は、感圧検出センサ２０５が、検出した圧力の変化により、新たに食物が収納されたことを検出するので、食物が新たに収納されたことを検出するセンサを専用に設ける必要がない。
【０１０５】
また、上記実施の形態は、新たな食物が収納される前に重量検出センサ２０６が検出した重量と、新たな食物が収納された後に重量検出センサ２０６が検出した重量と、を比較した差分を新たな食物の重量とするので、収納された全食物の重量を測る重量検出センサ２０６という単純な構造により、追加された食物の重量を検出できる。
【０１０６】
また、上記実施の形態によれば、ユーザが製作した食物２０４のタグ２０７には、ユーザが定義した食物情報が記憶できる。これにより、タグ２０７の適用範囲が、メーカが製造した食品で限られず、汎用性が増す。
【０１０７】
なお、上記実施の形態では、在庫情報記憶部３１１に記憶された在庫情報と、新たに食品が追加された際に読み取った全食品２０４のタグ２０７の情報とを比較することで、新たに追加された食品の情報を読み取ったが、追加された食品２０４のタグ２０７の情報のみを抽出する構成を持つことにより、単純に追加された食品２０４のタグ２０７の情報のみを抽出するようにしても良い。
【０１０８】
【発明の効果】
以上説明したように、本発明によれば、収納した食品の情報に加え、収納した食品の収納位置と収納した食品の残量を認識することができ、管理することができる。
【図面の簡単な説明】
【図１】本発明の一実施の形態にかかる冷蔵庫の外観を示す図
【図２】上記実施の形態にかかる冷蔵庫の内部の構造を示す図
【図３】上記実施の形態にかかる冷蔵庫およびタグのハード構成図
【図４】（ａ）  上記実施の形態にかかるタグ内の食品情報の構成図
（ｂ）  メーカの製品に対して付与されたタグに記憶された情報を示す図
（ｃ）  ユーザが製作した食品に対して付与されたタグに記憶された情報を示す図
【図５】上記実施の形態にかかるメーカ製品データベースの構成を示す図
【図６】上記実施の形態にかかる一般食品データベースの構成を示す図
【図７】上記実施の形態にかかる在庫情報記憶部の構成を示す図
【図８】上記実施の形態にかかる在庫管理処理のフロー図
【図９】上記実施の形態にかかる在庫情報表示処理のフロー図
【図１０】上記実施の形態にかかる表示部に表示されるイメージ画像を示す図
【図１１】上記実施の形態にかかる表示部に表示されるテキスト画像を示す図
【符号の説明】
１００  冷蔵庫
１０１  表示部
１０２  操作盤
２０４  食品
２０５ａ、２０５ｂ  感圧検出センサ
２０６ａ、２０６ｂ  重量検出センサ
２０７  タグ
２０８ａ、２０８ｂ  タグ入力部
３００  制御部
３０７  メモリ
３０８  データベース保持部
３０９  メーカ製品データベース
３１０  一般食品データベース
３１１  在庫情報記憶部
３１２  タイマ部
３１３  通信部
３１７  重量記憶部
１０００  イメージ画像
１１００  テキスト画像
【図１】
0003881884.tif 000002
【図２】
0003881884.tif 000003
【図３】
0003881884.tif 000004
【図４】
0003881884.tif 000005
【図５】
0003881884.tif 000006
【図６】
0003881884.tif 000007
【図７】
0003881884.tif 000008
【図８】
0003881884.tif 000009
【図９】
0003881884.tif 000010
【図１０】
0003881884.tif 000011
【図１１】
0003881884.tif 000012